(57)【要約】【課題】ユーザーが人感（熱）センサに検知されているか否かをリアルタイムに把握することができる映像表示装置を提供する。【解決手段】本発明に係るテレビジョン受像機１０は、人感（熱）センサ５２と、人感（熱）センサ５２の動作確認を行う動作確認モードによりテレビジョン受像機１０を動作させる際に、人感（熱）センサ５２から出力される信号に基づいて、人感（熱）センサ５２の検知範囲内にユーザーの存在が認められるか否かを示す情報をユーザーに即時提示する映像表示制御部１１１および音声出力部１１２の少なくともいずれかを備えている。【選択図】図１
2011139144.tif 000002
【特許請求の範囲】
【請求項１】
人感センサを備えた映像表示装置であって、当該人感センサの検知範囲内に視聴者の存在が認められない場合には、視聴者の存在が認められる場合と比較して消費電力を低減した動作モードで動作する映像表示装置において、
上記人感センサの動作確認を行う動作確認モードにより当該映像表示装置を動作させている際に、上記人感センサから出力される信号に基づいて、当該人感センサの検知範囲内に視聴者の存在が認められるか否かを示す情報を視聴者に即時提示する提示手段、
を備えていることを特徴とする映像表示装置。
【請求項２】
上記提示手段は、上記人感センサの検知範囲内に視聴者の存在が認められる場合には、当該人感センサにより検知されていることを示す通知映像を表示することを特徴とする請求項１に記載の映像表示装置。
【請求項３】
上記提示手段は、上記人感センサの検知範囲内に視聴者の存在が認められない場合には、当該人感センサにより検知されていないことを示す通知映像を表示することを特徴とする請求項１または２に記載の映像表示装置。
【請求項４】
上記通知映像は、動画像であることを特徴とする請求項２又は３に記載の映像表示装置。
【請求項５】
上記提示手段は、上記人感センサの検知範囲内に視聴者の存在が認められる場合に、当該人感センサと視聴者との距離に応じて上記通知映像の大きさを変えて表示することを特徴とする請求項１から４のいずれか１項に記載の映像表示装置。
【請求項６】
上記提示手段は、上記人感センサへの電力供給を開始してから予め定められた時間が経過するまでの間、当該人感センサによる視聴者の検知を行っていないことを示す通知映像を表示することを特徴とする請求項１から５のいずれか１項に記載の映像表示装置。
【請求項７】
受信した放送波に基づいて番組映像を生成する番組映像生成手段を備えており、
上記提示手段は、上記通知映像を、番組映像生成手段において生成された番組映像に重畳して表示することを特徴とする請求項２から６のいずれか１項に記載の映像表示装置。
【請求項８】
上記提示手段は、上記人感センサの検知範囲内に視聴者の存在が認められる場合には、当該人感センサにより検知されていることを示す通知音声を出力することを特徴とする請求項１から７のいずれか１項に記載の映像表示装置。
【請求項９】
上記提示手段は、上記人感センサの検知範囲内に視聴者の存在が認められない場合には、当該人感センサにより検知されていないことを示す通知音声を出力することを特徴とする請求項１から８のいずれか１項に記載の映像表示装置。
【請求項１０】
上記提示手段は、上記人感センサへの電力供給を開始してから予め定められた時間が経過するまでの間、当該人感センサによる視聴者の検知を行っていないことを示す通知音声を出力することを特徴とする請求項１から９のいずれか１項に記載の映像表示装置。
【請求項１１】
上記人感センサは、焦電型赤外線センサであることを特徴とする請求項１から１０のいずれか１項に記載の映像表示装置。
【請求項１２】
人感センサを備えた映像表示装置であって、当該人感センサの検知範囲内に視聴者の存在が認められない場合には、視聴者の存在が認められる場合と比較して消費電力を低減した動作モードで動作する映像表示装置における検知状態提示方法において、
上記人感センサの動作確認を行う動作確認モードにより当該映像表示装置を動作させている際に、上記人感センサから出力される信号に基づいて、当該人感センサの検知範囲内に視聴者の存在が認められるか否かを示す情報を視聴者に即時提示する提示ステップを含むことを特徴とする検知状態提示方法。
【請求項１３】
請求項１から１１のいずれか１項に記載の映像表示装置が備えているコンピュータを動作させるプログラムであって、上記コンピュータを上記の各手段として機能させるためのプログラム。
【請求項１４】
請求項１３に記載のプログラムを記録したコンピュータ読み取り可能な記録媒体。
【発明の詳細な説明】
【技術分野】
【０００１】
本発明は、人感センサを備えた映像表示装置に関するものであり、特には人感センサを備えたテレビジョン受像機に関するものである。
【背景技術】
【０００２】
近年、テレビジョン受像機（テレビ）の大型化が進み、遠く離れた場所からでも視聴することのできるテレビが普及してきている。また、大型のテレビは、リビングなど広い場所に設置されていることが多い。
【０００３】
日中にテレビを視聴している場合、例えば、テレビの設定されている部屋とは異なる居室での用事または近隣に出かける用事などにより、テレビの前を離れることが度々生じる。この場合、ユーザーは用事が済み次第、再度テレビを視聴することが多いため、テレビをつけたままテレビの前を離れることが多い。一方、夜間にテレビを視聴している場合、例えば、就寝のためにテレビを離れるときには、テレビを消してテレビの前を離れるのが一般的である。しかし、テレビを視聴している最中にうたた寝してしまったり、テレビを消し忘れて就寝してしまった場合、ユーザーがテレビを視聴していないにも関わらず、テレビがついたままの状態となってしまう。
【０００４】
このように、ユーザーがテレビを視聴していないにも関わらず、テレビがついている状態（すなわち、テレビが映像を出力している状態）が維持されることは、電力を無駄に消費していることになり、ユーザーに経済的な負担を強いることになる。また、環境に対する配慮の点からも、無駄な電力を消費することは好ましくない。
【０００５】
例えば、特許文献１〜３および非特許文献１には、ユーザーがテレビを視聴していないときに消費電力を削減するための技術が開示されている。より具体的には、特許文献１〜３および非特許文献１には、ユーザーの存在の有無を検知することにより消費電力の削減を図る技術が開示されている。すなわち、特許文献１には、部屋がある閾値より明るくなったと判断し、かつ、その時に視聴者が居ると判断した場合には、自動的にテレビの電源をオンにするという技術が開示されている。特許文献２には、視聴者がテレビの画面の近距離に居る場合、又は、部屋の明るさが暗い場合には、自動的にテレビの電源をオフにするという技術が開示されている。また、特許文献３には、視聴者がテレビの電源をオフせずに所定の時間以上テレビの前から離れた場合、自動的にテレビの電源をオフにするという技術が開示されている。
【０００６】
さらに、非特許文献１には、視聴者がテレビの電源をオフせずに一定時間以上テレビの前から離れた場合、自動的に画面の表示がオフになることで音のみが出力されている状態とする技術が開示されている。さらに、一定時間以内に視聴者が戻って来た場合には画面の表示が再びオンになり、一定時間以内に視聴者が戻って来ない場合には、自動的にテレビの電源をオフにするという技術も開示されている。また、部屋の明るさに応じてテレビの画面の明るさを自動で調節するという技術についても併せて開示されている。
【先行技術文献】
【特許文献】
【０００７】
【特許文献１】特開２００８−２５２５２６号公報（平成２０年１０月１６日公開）
【特許文献２】特開２００４−１２００４９号公報（平成１６年４月１５日公開）
【特許文献３】特開平６−７８２４６号公報（平成６年３月１８日公開）
【非特許文献】
【０００８】
【非特許文献１】［online］、ソニー、（平成２１年１１月１３日検索）、インターネット<http://www.sony.jp/bravia/shoene/index02.html>
【発明の概要】
【発明が解決しようとする課題】
【０００９】
しかし、特許文献１〜３に開示されているユーザーの存在の有無を検知する人感（熱）センサを備えている装置では、自身が人感（熱）センサに検知されているか否か（すなわち、ユーザーが人感（熱）センサの検知範囲内に居るのか否か）をユーザーがリアルタイムで確認することができないという問題を有している。また、非特許文献１に開示されている装置であっても、画面の表示をオフにするまでの時間を短くすることはできるものの、その時間が経過するまでは自身が人感（熱）センサに検知されていたのか否かについて確認することはできないため、やはりリアルタイムに人感（熱）センサに検知されているか否かを確認することはできない。
【００１０】
このように、ユーザーがリアルタイムに人感（熱）センサに検知されているか否かを確認することができないと、例えば、人感（熱）センサの故障などの問題に気付くのが遅れるなどのデメリットが生じることになる。
【００１１】
本発明は上記の課題に鑑みてなされたものであり、その主たる目的は、ユーザーが人感センサの検知範囲内に居るのか否かをリアルタイムに把握することができる映像表示装置を提供することにある。
【課題を解決するための手段】
【００１２】
本発明に係る映像表示装置では、上記課題を解決するために、人感センサを備えた映像表示装置であって、当該人感センサの検知範囲内に視聴者の存在が認められない場合には、視聴者の存在が認められる場合と比較して消費電力を低減した動作モードで動作する映像表示装置において、上記人感センサの動作確認を行う動作確認モードにより当該映像表示装置を動作させている際に、上記人感センサから出力される信号に基づいて、当該人感センサの検知範囲内に視聴者の存在が認められるか否かを示す情報を視聴者に即時提示する提示手段、を備えていることを特徴としている。
【００１３】
本発明に係る映像表示装置では、動作確認モードで映像表示装置を動作させている際に、当該人感センサの検知範囲内に視聴者の存在が認められるか否かを示す情報を視聴者に即時提示する。
【００１４】
このように、本発明に係る映像表示装置では、視聴者が人感センサの検知範囲内に居るか否かを示す情報が視聴者に即時提示されるため、視聴者は、自身が人感センサの検知範囲内に居るのか否かをリアルタイムで把握することができる効果を奏する。
【００１５】
なお、本明細書等における「視聴者」には、映像表示装置に表示される映像および映像表示装置から出力される音声を実際に視聴している人のみに限定されるものではなく、映像表示装置に備えられた人感センサの検知範囲内に存在する人全てを指す。
【００１６】
本発明に係る映像表示装置では、さらに、上記提示手段は、上記人感センサの検知範囲内に視聴者の存在が認められる場合には、当該人感センサにより検知されていることを示す通知映像を表示することが好ましい。
【００１７】
上記の構成によれば、視聴者が人感センサの検知範囲内に居る場合には、居ることを示す通知映像が表示される。これによって、視聴者は、自身が人感センサの検知範囲内に居ることを容易かつ確実に把握することができる。
【００１８】
本発明に係る映像表示装置では、さらに、上記提示手段は、上記人感センサの検知範囲内に視聴者の存在が認められない場合には、当該人感センサにより検知されていないことを示す通知映像を表示することが好ましい。
【００１９】
上記の構成によれば、視聴者は、自身が人感センサの検知範囲内に居ない場合には居ないことを示す通知映像が表示される。これによって、視聴者は、自身が人感センサの検知範囲内に居ないことを容易かつ確実に把握することができる効果を奏する。
【００２０】
本発明に係る映像表示装置では、さらに、上記通知映像は、動画像であることが好ましい。
【００２１】
上記の構成によれば、視聴者が人感センサの検知範囲内に居るか否かを示す動画の通知映像が表示される。これによって、視聴者は、自身が人感センサの検知範囲内に居るか否かを容易かつ確実に把握することができる効果を奏する。
【００２２】
本発明に係る映像表示装置では、さらに、上記表示手段は、上記人感センサの検知範囲内に視聴者の存在が認められる場合に、当該人感センサと視聴者との距離に応じて上記通知映像の大きさを変えて表示することが好ましい。
【００２３】
上記の構成によれば、人感センサと視聴者との距離に応じて大きさの違う通知映像が表示される。例えば、人感センサとユーザーとの距離が近い場合には映像を大きく表示し、距離が遠い場合には映像を小さく表示する。これによって、視聴者は、自身が人感センサの検知範囲内において、自身と人感センサとの距離を容易にかつ確実に把握することができる効果を奏する。
【００２４】
上記提示手段は、上記人感センサへの電力供給を開始してから予め定められた時間が経過するまでの間、当該人感センサによる視聴者の検知を行っていないことを示す通知映像を表示することが好ましい。
【００２５】
上記の構成によれば、人感センサの動作が不安定な場合に、視聴者の検知を行っていないことを示す通知映像を表示することができる。これによって、視聴者は、人感センサが検知を行なっているか否かを容易にかつ確実に把握することができる効果を奏する。
【００２６】
本発明に係る映像表示装置では、さらに、受信した放送波に基づいて番組映像を生成する番組映像生成手段を備えており、上記通知手段は、上記通知映像を、番組映像生成手段において生成された番組映像に重畳して表示することが好ましい。
【００２７】
上記の構成によれば、番組映像と人感センサの検知範囲内に居るか否かを通知する通知映像とが同時に表示されることになる。
【００２８】
これによって、視聴者は番組映像を視聴しつつ、自身が人感センサの検知範囲内に居るか否かを把握することができる効果を奏する。
【００２９】
本発明に係る映像表示装置では、さらに、上記提示手段は、上記人感センサの検知範囲内に視聴者の存在が認められる場合には、当該人感センサにより検知されていることを示す通知音声を出力することが好ましい。
【００３０】
上記の構成によれば、視聴者が人感センサの検知範囲内に居る場合には、居ることを示す音声が出力される。
【００３１】
これによって、視聴者は、自身が映像を確認することができない状態であったとしても、自身が人感センサの検知範囲内に居ることを把握することができる効果を奏する。
【００３２】
本発明に係る映像表示装置では、さらに、上記提示手段は、上記人感センサの検知範囲内に視聴者の存在が認められない場合には、当該人感センサにより検知されていないことを示す通知音声を出力することが好ましい。
【００３３】
上記の構成によれば、視聴者が人感センサの検知範囲内に居ない場合には、居ないことを示す音声が出力される。
【００３４】
これによって、視聴者は、自身が映像を確認することができない状態であったとしても、自身が人感センサの検知範囲内に居ないことを把握することができる効果を奏する。
【００３５】
上記提示手段は、上記人感センサへの電力供給を開始してから予め定められた時間が経過するまでの間、当該人感センサによる視聴者の検知を行っていないことを示す通知音声を出力することが好ましい。
【００３６】
上記の構成によれば、人感センサの動作が不安定な場合に、視聴者の検知を行っていないことを示す通知映像を表示することができる。これによって、視聴者は、人感センサが検知を行なっているか否かを容易にかつ確実に把握することができる効果を奏する。
【００３７】
本発明に係る映像表示装置では、さらに、上記人感センサは、焦電型赤外線センサであることが好ましい。
【００３８】
本発明に係る検知状態通知方法では、上記課題を解決するために、人感センサを備えた映像表示装置であって、当該人感センサの検知範囲内に視聴者の存在が認められない場合には、視聴者の存在が認められる場合と比較して消費電力を低減した動作モードで動作する映像表示装置における検知状態通知方法において、上記人感センサの動作確認を行う動作確認モードにより当該映像表示装置を動作させている際に、上記人感センサから出力される信号に基づいて、当該人感センサの検知範囲内に視聴者の存在が認められるか否かを示す情報を視聴者に即時提示する提示ステップを含むことを特徴としている。
【００３９】
上記の構成によれば、本発明に係る映像表示装置と同様の作用効果を奏する。
【００４０】
なお、本発明に係る映像表示装置を動作させるためのプログラムであって、コンピュータを上記の各手段として機能させることを特徴とするプログラムおよびそれらのプログラムを記録したコンピュータ読み取り可能な記録媒体も本発明の範疇に含まれる。
【発明の効果】
【００４１】
本発明に係る映像表示装置では、動作確認モードで映像表示装置を動作させている際に、当該人感センサの検知範囲内に視聴者の存在が認められるか否かを示す情報を視聴者に即時提示する。
【００４２】
このように、本発明に係る映像表示装置では、視聴者が人感センサの検知範囲内に居るか否かを示す情報が視聴者に即時提示されるため、視聴者は、自身が人感センサの検知範囲内に居るのか否かをリアルタイムで把握することができる効果を奏する。
【図面の簡単な説明】
【００４３】
【図１】実施形態に係るテレビジョン受像機における制御部の要部構成を示すブロック図である。
【図２】実施形態に係るテレビジョン受像機の要部構成を示すブロック図である。
【図３】人感（熱）センサがユーザーを検知しているか否かを通知する映像の一例を示す図であり、（ａ）はユーザーの存在を検知している状態を示し、（ｂ）はユーザーの存在を検知していない状態を示している。
【図４】人感（熱）センサがユーザーを検知しているか否かを通知する映像の他の例を示す図であり、（ａ）はユーザーの存在を検知している状態を示し、（ｂ）はユーザーの存在を検知していない状態を示している。
【図５】人感（熱）センサがユーザーを検知しているか否かを通知する映像のさらに他の例を示す図である。
【図６】人感（熱）センサがユーザーを検知しているか否かを通知する映像のさらに他の例を示す図であり、（ａ）はユーザーの存在を検知している状態を示し、（ｂ）はユーザーの存在を検知していない状態を示している。
【図７】人感（熱）センサが準備中である旨を通知する映像の一例を示す図である。
【発明を実施するための形態】
【００４４】
本発明に係る映像表示装置の一実施形態について、図１〜図６（ａ）および（ｂ）を参照しつつ以下に説明する。本実施形態では、映像表示装置がテレビジョン受像機である場合を例に挙げて説明する。
【００４５】
本実施形態に係るテレビジョン受像機は、放送番組を視聴するための視聴モードの他に、人感（熱）センサが動作しているか否かをユーザーが確認することができる動作確認モードで動作させることができる。動作確認モード時の動作処理については、下記に詳述する。また、放送番組を視聴するための視聴モードの動作処理については、従来公知の動作処理であるため、本実施形態において詳細な説明は省略する。
【００４６】
なお、視聴モードと動作確認モードとの切り替えは、操作入力デバイスを介したユーザー操作により実現されることが好ましい。
【００４７】
（表示装置の構成）
まず、人感（熱）センサによる検知状態通知処理の詳細について説明するに先立って、人感（熱）センサを備えたテレビジョン受像機の構成について、図２を参照しつつ以下に説明する。図２は、テレビジョン受像機１０（以下、テレビ１０とも称する）の構成を示すブロック図である。
【００４８】
テレビ１０は、例えば、図２に示すように、メモリ７、アナログチューナー部１２、デジタルチューナー部１４、デジタル復調部１５、分離部１６、ビデオデコード部１７、ビデオセレクタ部１８、映像処理部１９、表示制御部２１、液晶表示装置２２、ＩＰ放送チューナー部２３、ＥＰＧ／ＯＳＤ処理部２４、オーディオデコード部２５、オーディオセレクタ部２６、音声出力変換部２７、スピーカ２８、外部入力部３１、記録／再生部３２、選局部３３、通信制御部３４、リモコン受光部３５、ＯＰＣ（ＲＧＢ）センサ５１、人感（熱）センサ５２、電源部５３、及び制御部１００により構成することができる。また、テレビ１０は、アンテナ１１、アンテナ１３、及び外部機器３０を接続可能に構成されており、リモートコントローラ３６による操作が可能である。
【００４９】
アナログチューナー部１２は、アンテナ１１において受信したアナログ放送信号から、選局部３３にて選択されたチャンネルに重畳された映像信号および音声信号を抽出し、抽出した映像信号をビデオセレクタ部１８に供給すると共に、抽出した音声信号をオーディオセレクタ部２６に供給する。
【００５０】
デジタルチューナー部１４は、アンテナ１３において受信したデジタル放送信号から、選局部３３にて選択されたチャンネルに重畳されたデジタル信号を抽出し、抽出したデジタル信号をデジタル復調部１５に供給する。デジタル復調部１５は、デジタルチューナー部１４にて抽出されたデジタル信号から、所定の形式（例えば、ＭＰＥＧ２−ＴＳ形式）のストリームデータを生成し、生成したストリームデータを分離部１６に供給する。
【００５１】
ＩＰ放送チューナー部２３は、ネットワークを介して接続された外部装置（例えば、サーバ装置）から、選局部３３にて選択されたチャンネルのストリームデータを取得し、取得したストリームデータを分離部１６に供給する。ＩＰ放送チューナー部２３によるストリームデータの取得は、通信制御部３４を介して行われる。なお、ネットワークとしては、特に限定されるものではない。例えば、電話回線、ＬＡＮ、ＨＤＭＩケーブルなどを用いたネットワークを挙げることができる。
【００５２】
また、外部入力部３１は、外部機器３０（例えば、ＨＤＤ、外部メモリ、ＢＤプレイヤ、ＤＶＤプレイヤ、ＣＤプレイヤなどが挙げられる）に記録されている映像信号及び音声信号を、制御部１００からの指令に基づいて読み出し、映像データをビデオセレクタ部１８に供給し、音声データをオーディオセレクタ部２６に供給する。
【００５３】
なお、テレビ１０には、記録／再生部３２として光ディスクドライブ装置が内蔵されている。記録／再生部３２は、外部入力部３１に接続されており、テレビ１０は、外部記録されているコンテンツデータを再生する場合と同様に、記録／再生部３２に記録されているコンテンツデータを再生することができる。
【００５４】
分離部１６は、デジタルチューナー部１４またはＩＰ放送チューナー部２３から供給されたストリームデータを映像データ、音声データ、及び、付加データに分離する。分離部１６にて分離された映像データ、音声データ、及び、付加データは、それぞれ、ビデオデコード部１７、オーディオデコード部２５、及び、ＥＰＧ／ＯＳＤ処理部２４に供給される。分離部１６にて分離された付加データは、また、メモリ７に記憶される。
【００５５】
ビデオデコード部１７は、分離部１６において分離された映像データをデコードする。ビデオデコード部１７にて得られた映像信号は、必要に応じてアナログ信号にＤＡ変換されてビデオセレクタ部１８に供給される。
【００５６】
オーディオデコード部２５は、分離部１６において分離された音声データをデコードする。オーディオデコード部２５にて得られた音声信号は、必要に応じてアナログ信号にＤＡ変換されてオーディオセレクタ部２６に供給される。
【００５７】
ＥＰＧ／ＯＳＤ処理部２４は、分離部１６にて分離された付加データに基づいて、ＯＳＤ（オン・スクリーン・ディスプレイ）表示すべき映像を表す映像信号を生成する。ＯＳＤ表示する映像としては、ＥＰＧ（電子番組表）や字幕などが挙げられる。ＥＰＧ／ＯＳＤ処理部２４にて生成された映像信号は、合成部２０に供給される。
【００５８】
ビデオセレクタ部１８には、上述したアナログチューナー部１２、及び、ビデオデコード部１７からの映像信号の他に、外部入力部３１を介して外部機器３０（例えば、ＨＤＤ、外部メモリ、ＢＤプレイヤ、ＤＶＤプレイヤなど）から出力された映像信号が供給される。ビデオセレクタ部１８は、制御部１００からの指令に基づき、これらの映像信号のうちから再生対象とする映像信号を選択し、選択した映像信号を映像処理部１９に供給する。
【００５９】
映像処理部１９は、ビデオセレクタ部１８にて選択された映像信号を処理する。ここでの処理としては、例えばＩＰ変換やフレームレート変換などを挙げることができる。映像処理部１９にて処理された映像信号は、合成部２０に供給される。合成部２０は、映像処理部１９にて処理された映像信号と、ＥＰＧ／ＯＳＤ処理部２４にて生成された映像信号とを合成し、表示制御部２１に供給する。表示制御部２１は、合成された映像信号に基づき、液晶表示装置２２を駆動する。
【００６０】
オーディオセレクタ部２６には、上述したアナログチューナー部１２、及び、オーディオデコード部２５からの音声信号の他に、外部入力部３１を介して外部機器３０（例えば、ＨＤＤ、外部メモリ、ＢＤプレイヤ、ＤＶＤプレイヤ、ＣＤプレイヤなど）から出力された音声信号が供給される。オーディオセレクタ部２６は、制御部１００からの指令に基づき、これらの音声信号のうちから再生対象とする音声信号を選択し、選択した音声信号を音声出力変換部２７に供給する。音声出力変換部２７は、オーディオセレクタ部２６にて選択された音声信号を増幅し、増幅された音声信号をスピーカ２８に供給する。
【００６１】
リモコン受光部３５は、リモートコントローラ３６から発せられるリモコン信号（赤外線信号）を受け付ける。リモコン受光部３５において受け付けられたリモコン信号に基づいて、制御部１００は、選局部３３におけるチャンネルの選局、描画するＯＳＤの変更などを指示する。
【００６２】
なお、選局部３３におけるチャンネル選局処理、分離部１６における処理および各データのデコード処理は、制御部１００がメモリ７を用いて制御している。メモリ７は制御部１００が直接読み書き可能な主記憶装置である。
【００６３】
ＯＰＣ（ＲＧＢ）センサ５１は、周囲の照度を感知するセンサである。ＯＰＣ（ＲＧＢ）センサ５１は、感知した周囲の照度に応じた値をとる電気信号（以下、「照度信号」と呼称する）を制御部１００に供給する。
【００６４】
人感（熱）センサ５２は、周囲に人が存在するか否かを感知するセンサである。人感（熱）センサ５２は、例えば、熱源の移動を検出することによって、あるいは、熱源の温度と周囲の温度との差を検出することによって、周囲に人が存在するか否かを感知する。人感（熱）センサ５２の出力信号（以下、「人感信号」と呼称する）は、増幅回路（不図示）によって増幅された後、ＡＤＣ（不図示）によってデジタル信号に変換され、制御部１００に供給される。
【００６５】
なお、人感（熱）センサ５２には、赤外線を照射し、その反射を検出するアクティブセンサと、赤外線を照射せず、対象物から発せられた赤外線を検出するパッシブセンサとがある。焦電型赤外線センサは、パッシブセンサの一例である。
【００６６】
また、焦電型赤外線センサなどのセンサが人の移動を検知する方法として、センサの前にムラを持つレンズ（例えば、フレネルレンズなど）などを配置して、人体から放出される赤外線を断続的に測定することによって、センサからの人感信号を交流として得る方法が採用されていることが多い。
【００６７】
テレビ１０の周囲（より正確には、人感センサ５２の感知範囲）に人（視聴者）が居る場合、人感（熱）センサ５２により感知される温度変化が大きくなり、テレビ１０の周囲に人が居ない場合、人感（熱）センサ５２により感知される温度変化が小さくなる。このため、人感（熱）センサ５２から供給される人感信号の値を参照することにより、テレビ１０の周囲に人がいるか否かを判定することができる。
【００６８】
電源部５３は、通常モード、または、スタンバイモードで動作する。ここで、通常モードとは、図２に示すブロック（電源部５３を除く）のうち、電力を消費するほぼ全てのブロックに電力を供給する動作モードであり、スタンバイモードは、図２に示すブロック（電源部５３を除く）のうち、外部インタフェース（外部入力部３１、通信制御部３４、リモコン受光部３５）、センサ（ＯＰＣセンサ５１、人感センサ５２）、制御部１００に限定して電力を供給する動作モードである。
【００６９】
制御部１００は、リモートコントローラ３６が送信し、リモコン受光部３５が受信したリモコン信号に基づいて、電源部５３の動作モードを切り替える。具体的には、通常モードにおいて、リモートコントローラ３６に設けられた電源ボタン（不図示）が押下されると、電源部５３をスタンバイモードに切り替え、スタンバイモードにおいて、リモートコントローラ３６に設けられた電源ボタンが押下されると、電源部５３を通常モードに切り替える。制御部１００は、更に、人感センサ５２から供給される人感信号、および、ＯＰＣセンサから供給される照度信号に基づいて動作モードを切り替える。
【００７０】
（人感（熱）センサ５２に基づいた動作モードの変更）
テレビ１０における通常モードには、少なくとも通常消費電力モードとセーブモードとがある。より具体的には、テレビ１０では、人感（熱）センサ５２から供給される人感信号の値に基づいて、人感（熱）センサ５２の検知範囲内にユーザーが居る状態から居ない状態に状態が遷移した場合には、動作モードを通常電力消費モードからセーブモードに切り替える。
【００７１】
ここで、セーブモードとは、通常電力消費モードと比較してテレビ１０において消費する電力を低減した動作モードである。通常電力消費モードとは、図２に示すブロック（電源部５３を除く）のうち、電力を消費する全てのブロックに電力を供給する。一方、セーブモードは、図２に示すブロック（電源部５３を除く）のうち、電力を消費する一部のブロックについては電力を供給しない。
【００７２】
消費電力を低減するための方法としては、例えば、液晶表示装置２２に対する映像の表示を停止する（すなわち、消画する）ようにしてもよいし、液晶表示装置２２におけるバックライトの光量を減光するようにしてもよい。また、セーブモードによる動作としては、これ以外にもテレビ１０において消費する電力が低減するように動作するものであれば、いかなる動作を実行してもよい。ただし、セーブモードはスタンバイモードとは異なる動作モードであることが好ましい。すなわち、スタンバイモードよりも動作するブロックの数は多い。例えば、セーブモードでは、映像表示に関する機能を動作させるための電力の供給を遮断している場合であっても、音声出力に関する機能を動作させるための電力については供給し続けるようにすればよい。
【００７３】
なお、テレビ１０は、さらに、人感（熱）センサ５２の検知範囲内にユーザーが居ない状態から居る状態に状態が遷移した場合に、セーブモードから通常消費電力モードに動作モードが切り替わるようにしてもよい。
【００７４】
（制御部１００の構成）
次に、本実施形態に係るテレビ１０に備えられている制御部１００の構成について、図１を参照しつつ以下に説明する。図１は、テレビ１０に備えられている制御部１００の要部構成を示すブロック図である。
【００７５】
図１に示すように、制御部１００は、判定部１１０、映像表示制御部１１１および音声出力制御部１１２を備えている。これらの部材について、以下に説明する。
【００７６】
（判定部１１０）
判定部１１０は、人感（熱）センサ５２から取得した人感信号の値と、メモリ７に記録されている所定の閾値とを比較することによって、人感（熱）センサ５２の検知範囲内（すなわち、テレビジョン受像機１０の周囲）に人が居るか否かを判定する。
【００７７】
判定部１１０における判定方法としては、例えば、人感（熱）センサ５２から取得した人感信号の値が閾値よりも大きい場合、検知範囲内にユーザーが居ると判定し、人感信号の値が閾値よりも小さい場合、検知範囲内にユーザーが居ないと判定する方法を挙げることができる。
【００７８】
なお、メモリ７に記録されている閾値の値は、予め定められている固定値であってもよいし、ユーザーにより設定される可変値であってもよい。
【００７９】
（映像表示制御部１１１）
映像表示制御部１１１は、判定部１１０における判定結果に基づいて、人感（熱）センサ５２の検知範囲内にユーザーが居ることを示す通知映像、または、人感（熱）センサ５２の検知範囲内にユーザーが居いないことを示す通知映像のいずれかの映像を液晶表示装置２２に表示するように指示する。
【００８０】
なお、映像表示制御部１１１において表示を指示する映像は、予めメモリに記録されている映像であることが好ましい。
【００８１】
（音声出力制御部１１２）
音声出力制御部１１２は、判定部１１０における判定結果に基づいて、人感（熱）センサ５２の検知範囲内にユーザーが居ることを示す音声、または、人感（熱）センサ５２の検知範囲内にユーザーが居いないことを示す音声のいずれかをスピーカ２８から出力するように指示する。
【００８２】
なお、映像表示制御部１１１において出力を指示する音声は、予めメモリに記録されている音声であることが好ましい。
【００８３】
（制御部１００における検知状態通知処理の詳細）
続いて、テレビ１０において人感（熱）センサ５２の検知範囲内にユーザーが居るか否かを通知する（すなわち、人感（熱）センサ５２の検知情報を通知する）検知状態通知処理の詳細について、以下に説明する。
【００８４】
まず、ユーザーが操作入力デバイスを介して、テレビ１０の動作モードの変更を指示する。より具体的には、ユーザーにより、リモートコントローラ３６を介して動作確認モードへの動作モードの変更が指示されると、制御部１００は、テレビ１０の動作モードを動作確認モードへと変更する。
【００８５】
テレビ１０の動作モードが動作確認モードに変更されると、判定部１１０は、人感（熱）センサ５２から取得した人感信号の値と、メモリ７に記録されている所定の閾値とを比較する。すなわち、判定部１１０は、人感（熱）センサ５２の周囲の熱源移動量（すなわち、テレビ１０の周囲における熱源の移動量）が基準の熱源移動量よりも大きいか否かを判定する。
【００８６】
判定部１１０が人感（熱）センサ５２の周囲の熱源移動量が基準の熱源移動量よりも大きいと判定した場合、判定部１１０は人感（熱）センサ５２の検知範囲内にユーザーが居ると認識して、そのことをユーザーに通知する。より具体的には、判定部１１０は、映像表示制御部１１１に対して人感（熱）センサ５２の検知範囲内にユーザーが居ることを示す通知映像を表示するように指示する。
【００８７】
指示を受けた映像表示制御部１１１は、メモリに記録されているユーザーが居ることを示す通知映像を読み出して液晶表示装置２２に表示するようにするようにビデオセレクタ部１８に指示する。
【００８８】
指示を受けたビデオセレクタ部１８は、ユーザーが居ることを示す通知映像を表す映像信号をメモリから読み出して映像処理部１９に供給する。映像処理部１９において処理された通知映像を表す映像信号は、合成部２０において放送番組の映像を表す映像信号に合成され、表示制御部２１に供給される。表示制御部２１は、合成部２０において合成された映像信号の表す映像を液晶表示装置２２に表示する。
【００８９】
これによって、人感（熱）センサ５２の検知範囲内にユーザーが居るときは、検知範囲内に居ることを通知する通知映像が液晶表示装置２２のディスプレイ上に表示されることになる。
【００９０】
また、判定部１１０は、音声出力制御部１１２に対して人感（熱）センサ５２の検知範囲内にユーザーが居ることを示す音声を出力するように指示する。
【００９１】
指示を受けた音声出力制御部１１２は、メモリに記録されているユーザーが居ることを示す音声を読み出すようにオーディオセレクタ部２６に指示する。
【００９２】
指示を受けたオーディオセレクタ部２６は、ユーザーが居ることを示す音声表す音声信号をメモリから読み出して音声出力変換部２７に供給する。スピーカ２８は、音声出力変換部２７において増幅された音声信号を出力する。
【００９３】
これによって、人感（熱）センサ５２の検知範囲内にユーザーが居るときは、検知範囲内に居ることを通知する音声がスピーカ２８から出力されることになる。
【００９４】
一方、判定部１１０が人感（熱）センサ５２の周囲の熱源移動量が基準の熱源移動量よりも小さいと判定した場合、判定部１１０は人感（熱）センサ５２の検知範囲内にユーザーが居ないと認識して、そのことをユーザーに通知する。より具体的には、判定部１１０は、映像表示制御部１１１に対して人感（熱）センサ５２の検知範囲内にユーザーが居ないことを示す通知映像を表示するように指示する。この場合の処理は、ユーザーが居ることを示す通知映像を表示する場合と同様であるため、詳細な処理についての説明は省略する。
【００９５】
また、判定部１１０は、音声出力制御部１１２に対して人感（熱）センサ５２の検知範囲内にユーザーが居ないことを示す音声を出力するように指示する。この場合の処理も、映像を表示する場合と同様に、ユーザーが居ることを示す音声を出力する場合と同様であるため、詳細な処理についての説明は省略する。
【００９６】
なお、通知映像および音声の格納されているメモリはメモリ７であってもよいし、他のメモリであってもよい。また、テレビ１０に内蔵されている内蔵メモリであってもよいし、テレビ１０に外部接続された外部メモリであってもよい。
【００９７】
なお、人感（熱）センサ５２は、電力供給を開始してからしばらくの間、動作が不安定である。そこで、人感（熱）センサ５２への電力供給を開始してから予め定められた時間が経過するまでの間、人感（熱）センサ５２から取得した人感信号の値に依らず、判定部１１０が、人が居ると判定する構成を採用してもよい。
【００９８】
（テレビ１０の利点）
以上説明したように、テレビ１０では、動作確認モードで映像表示装置を動作させている際に、人感信号に基づいて、人感（熱）センサ５２の検知範囲内にユーザーの存在が認められるか否かを、映像を表示したり、音声を出力したりすることにより、ユーザーに即時通知する。
【００９９】
このように、テレビ１０では、ユーザーが人感（熱）センサ５２の検知範囲内に居る場合には検知範囲内に居ることを、居ない場合には検知範囲内に居ないことを、映像または音声の少なくともいずれかを用いて通知するため、ユーザーは、自身が人感（熱）センサ５２の検知範囲内に居るのか否かをリアルタイムで把握することができる。
【０１００】
なお、映像により検知範囲内に居るか否かを通知した場合には、ユーザーが確実に検知範囲内に居るか否かを容易かつ確実に把握することができる。また、音声により検知範囲内に居るか否かを通知した場合には、ユーザーが映像を確認することができない状態であっても、ユーザーは自身が検知範囲内に居るか否かを把握することができる。
【０１０１】
（通知映像の具体例）
ここで、映像表示制御部１１１により表示が指示されるユーザーが居ることを通知する通知映像およびユーザーが居ないことを通知する通知映像の具体例を、図３（ａ）および（ｂ）〜図６（ａ）および（ｂ）に示す。
【０１０２】
図３（ａ）および（ｂ）は、人感（熱）センサ５２の検知結果を通知する映像の一例を示す図であり（ａ）はユーザーの存在を検知している状態を示し、（ｂ）はユーザーの存在を検知していない状態を示している。また、図４（ａ）および（ｂ）は、人感（熱）センサ５２の検知結果を通知する映像の他の例を示す図であり（ａ）はユーザーの存在を検知している状態を示し、（ｂ）はユーザーの存在を検知していない状態を示している。図５は、人感（熱）センサ５２の検知結果を通知する映像のさらに他の例を示す図である。図６（ａ）および（ｂ）は、人感（熱）センサ５２の検知結果を通知する映像のさらに他の例を示す図であり（ａ）はユーザーの存在を検知している状態を示し、（ｂ）はユーザーの存在を検知していない状態を示している。
【０１０３】
図３（ａ）および（ｂ）〜図６（ａ）および（ｂ）に示すように、人感（熱）センサ５２の検知範囲内にユーザーが居るか否かを通知する映像を表示することにより、ユーザーはリアルタイムに人感（熱）センサ５２の検知範囲内に居るか否かを把握することができる。
【０１０４】
なお、図３（ａ）および（ｂ）〜図６（ａ）および（ｂ）では、ディスプレイ全体に通知映像を表示する場合を例に挙げて説明しているがもちろんこれに限定されるものではない。テレビ１０において受信した放送波をデコードして得られる番組映像に通知映像を重畳して表示するようにしてもよい。この場合には、ユーザーは、放送番組を視聴しつつ、リアルタイムに人感（熱）センサ５２の検知範囲内に居るか否かを把握することができる。
【０１０５】
なお、本実施形態では、人感（熱）センサ５２の検知範囲内にユーザーが居るか否かを通知するために静止画像の映像を表示する構成を示したが、本発明はこれに限定されるわけではない。例えば、人感（熱）センサ５２の検知範囲内にユーザーが居るか否かを通知するために、動画像の映像を表示してもよい。
【０１０６】
なお、本実施形態に係る判定部１１０では、人感（熱）センサ５２から取得した人感信号と所定の閾値とを比較することによって、人感（熱）センサ５２の検知範囲内にユーザーが居るか否かを判定したが、ユーザーが居ると判定した場合、さらに人感（熱）センサ５２とユーザーとの距離を検出してもよい。また、映像表示制御部１１１は、人感（熱）センサ５２とユーザーとの距離に応じて、人感（熱）センサ５２の検知結果を通知する映像の大きさを変えてもよい。具体的には、人感（熱）センサ５２とユーザーとの距離が近い場合には映像を大きく表示し、距離が遠い場合には映像を小さく表示するようにしてもよい。
【０１０７】
なお、映像表示制御部１１１は、人感（熱）センサ５２の検知結果を通知する映像を、人感（熱）センサ５２の検知が良好であるか否かに応じて変更してもよい。具体的には、検知が良好である場合と良好でない場合とで、検知結果を通知する映像の色を変えてもよい。また、検知が良好である場合には、良好であるという表示（例えば、丸の記号など）、良好でない場合には、良好でないという表示（例えば、三角の記号など）を、検知結果を通知する映像と合わせて表示してもよい。ここで、人感（熱）センサ５２の検知が良好でない場合の原因としては、たとえば、人感（熱）センサ５２の前に障害物が存在し、受光する赤外線の量が制限されてしまう場合などが挙げられる。
【０１０８】
また、人感（熱）センサ５２への電力供給を開始してから予め定められた時間が経過するまでの間、映像表示制御部１１１は、図７に示すように、人感（熱）センサ５２が準備中であるという内容の通知映像を表示する。なお、人感（熱）センサ５２が準備中であるという内容を示す表示を点滅させてもよい。
【０１０９】
（付記事項）
本実施形態に係るテレビ１０では、人感（熱）センサ５２の検知範囲内であるか否かを映像表示および音声通知の双方によってユーザーに通知しているが、もちろんこれに限定されるものではない。ユーザーに対する通知は、映像表示による通知および音声通知の少なくともいずれかであってもよい。また、ユーザーに対してリアルタイムに検知範囲内であるか否かを通知することができる方法であれば、映像表示による通知および音声通知以外の方法であってもよい。例えば、テレビ１０に設けられた発光部（例えばＬＥＤなど）が発光するか否かにより、人感（熱）センサ５２の検知範囲内であるか否かをユーザーに通知するようにしてもよい。
【０１１０】
（プログラムおよび記録媒体）
テレビ１０に含まれている制御部１００は、ハードウェアロジックによって構成すればよい。または、次のように、ＣＰＵ（Central Processing Unit）を用いてソフトウェアによって実現してもよい。
【０１１１】
すなわち、制御部１００は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０１１２】
そして、本発明の目的は、制御部１００のプログラムメモリに固定的に担持されている場合に限らず、上記プログラムのプログラムコード（実行形式プログラム、中間コードプログラム、または、ソースプログラム）を記録した記録媒体をテレビ１０に供給し、テレビ１０が上記記録媒体に記録されている上記プログラムコードを読み出して実行することによっても、達成可能である。
【０１１３】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１１４】
また、制御部１００（またはテレビ１０）を通信ネットワークと接続可能に構成しても、本発明の目的を達成できる。この場合、上記のプログラムコードを、通信ネットワークを介して制御部１００に供給する。この通信ネットワークは制御部１００にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０１１５】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１１６】
本発明は上述した実施形態に限定されるものではなく、請求項に示した範囲で種々の変更が可能であり、実施形態にそれぞれ開示された技術的手段を適宜組み合わせて得られる実施形態についても本発明の技術的範囲に含まれる。
【産業上の利用可能性】
【０１１７】
本発明に係る映像表示装置は人感センサを備えたテレビジョン受像機として好適に利用することができる。
【符号の説明】
【０１１８】
７      メモリ
１０    テレビジョン受像機（映像表示装置）
１１    アンテナ
１２    アナログチューナー部
１３    アンテナ
１４    デジタルチューナー部
１５    デジタル復調部
１６    分離部（ＤＭＵＸ）
１７    ビデオデコード部
１８    ビデオセレクタ部
１９    映像処理部
２０    合成部
２１    表示制御部
２２    液晶表示装置（提示手段）
２３    ＩＰ放送チューナー部
２４    ＥＰＧ／ＯＳＤ処理部
２５    オーディオデコード部
２６    オーディオセレクタ部
２７    音声出力変換部
２８    スピーカ（提示手段）
３０    外部機器
３１    外部入力部
３２    記録／再生部
３３    選局部
３４    通信制御部
３５    リモコン受光部
３６    リモートコントローラ
５１    ＯＰＣ（ＲＧＢ）センサ
５２    人感（熱）センサ
５３    電源部
１００  制御部
１１０  判定部
１１１  映像表示制御部（提示手段）
１１２  音声出力制御部（提示手段）
【図１】
2011139144.tif 000003
【図２】
2011139144.tif 000004
【図３】
2011139144.tif 000005
【図４】
2011139144.tif 000006
【図５】
2011139144.tif 000007
【図６】
2011139144.tif 000008
【図７】
2011139144.tif 000009